(57)【要約】【課題】交流波高値をかけることで電流を流し易くしつつ、交流の波高値をなるべく大きくしないで済む高電圧電源装置を提供する。【解決手段】出力電流を第１の設定値に制御する定電流制御手段１１４、および前記出力電流を流すための直流出力電圧が所定の上限値を超えたか否かを判断する電圧判断手段１１７を有する直流高電圧電源１１１と、出力電圧の波高値を第２の設定値に制御する定電圧制御手段１１９、および前記電圧判断手段の判断結果により前記第２の設定値を設定する波高値設定手段を有する交流高電圧電源１１２と、前記直流高電圧電源の出力端と前記交流高電圧電源の出力端を直列接続する出力部１１３と、を備えた高電圧電源装置により、前記課題を解決する。【選択図】図１
2008151842.tif 000002
【特許請求の範囲】
【請求項１】
出力電流を第１の設定値に制御する定電流制御手段、および前記出力電流を流すための直流出力電圧が所定の上限値を超えたか否かを判断する電圧判断手段を有する直流高電圧電源と、
出力電圧の波高値を第２の設定値に制御する定電圧制御手段、および前記電圧判断手段の判断結果により前記第２の設定値を設定する波高値設定手段を有する交流高電圧電源と、
前記直流高電圧電源の出力端と前記交流高電圧電源の出力端を直列接続する出力部と、を備えたことを特徴とする高電圧電源装置。
【請求項２】
請求項１に記載の高電圧電源装置において、
前記直流高電圧電源は、負荷からの戻り電流を検出する戻り電流検出手段を有し、
前記定電流制御手段は、前記直流高電圧電源が出力した電流と前記戻り電流検出手段が検出した戻り電流の差分が定電流になるよう制御することを特徴とする高電圧電源装置。
【請求項３】
請求項２に記載の高電圧電源装置において、
前記負荷は帯電器であり、前記戻り電流は前記帯電器のシールドから戻ってくる電流であることを特徴とする高電圧電源装置。
【発明の詳細な説明】
【技術分野】
【０００１】
本発明は、画像形成装置で用いられる、コロナ放電を用いる帯電器などへの給電に好適な高電圧電源装置に関し、特にその直流成分に重畳する交流成分の低減に関するものである。
【背景技術】
【０００２】
従来、コロナ放電により帯電対象である感光ドラムを帯電させる装置が数多く存在する。この種の装置の一例としては、電子写真プロセスを用いた画像形成装置において、感光体に一定の電荷を注入する帯電器がある。
【０００３】
このような画像形成装置は、図７に示すように、次のように構成されている。
像担持体たる感光ドラム７１１ａ〜７１１ｄを帯電器７１２ａ〜７１２ｄにより帯電させ、露光装置７１４ａ〜７１４ｄにより露光して静電潜像を形成し、その静電潜像を現像器７１６ａ〜７１６ｄにより顕像化し可視画像を得る複数の画像形成部を備えている。なお、帯電器７１２ａ〜７１２ｄはそれぞれ一次帯電高圧基板７１３ａ〜７１３ｄから電力を供給される。そして、前記各画像形成部から中間転写体７２０へ順次可視画像を転写する一次転写装置７１８ａ〜７１８ｄと、前記可視画像にもとづいて複数色画像を形成する中間転写体７２０とを備えている。さらに、中間転写体７２０上の複数色画像を転写材（用紙あるいは記録材ともいう、以下用紙という）に転写する二次転写装置７２２と、用紙上に転写された複数色画像を用紙上に定着するための定着装置７２４とを備えている。
【０００４】
より具体的に説明すると、中間転写体には、複数のローラに張架され無端回動するベルト状の中間転写ベルト、若しくはドラム軸を中心に回動する円筒状の中間転写ドラムなどが使用される。画像形成のプロセスにおいて、中間転写体７２０が前記複数の画像形成部に近接することにより、感光ドラム７１１ａ〜７１１ｄ上に形成された可視画像が、中間転写体７２０に対して整合する位置に配設される。そして、一次転写高圧基板７１９ａ〜７１９ｄより供給される高電圧によって帯電された一次転写装置７１８ａ〜７１８ｄによって中間転写体７２０上に一次転写される。
【０００５】
複数の感光ドラム７１１ａ〜７１１ｄより一次転写された可視画像は、中間転写体７２０上において重ね合わされ、中間転写体７２０が回転することによって用紙に転写される位置まで搬送される。中間転写体７２０上の可視画像は、ポスト帯電器７２１により電荷がならされる。そして、可視画像は、高電圧基板７２３より供給される高電圧により帯電された二次転写装置７２２によって、給紙された用紙に二次転写され、さらに定着装置７２４において定着されることでフルカラー画像が得られる。
【０００６】
また、単色画像を得る場合、特定の画像形成部より中間転写体７２０上に単色の可視画像が一次転写され、その後フルカラー画像を形成する場合と同様のプロセスを経て、単色画像が得られる。
【０００７】
露光駆動電源７１５ａ〜７１５ｄで駆動される露光装置７１４ａ〜７１４ｄによって感光ドラム７１１ａ〜７１１ｄ上に、静電潜像が形成され、その静電潜像は粉体状のトナーによって現像される。トナーは、各感光ドラムに近接して配置された現像装置７１６ａ〜７１６ｄ内に収納されている。この現像装置７１６ａ〜７１６ｄに現像高圧基板７１７ａ〜７１７ｄより高電圧を印加することにより、感光ドラム７１１ａ〜７１１ｄ上の静電潜像を現像することになる。
【０００８】
感光ドラム７１１ａ〜７１１ｄ、現像装置７１６ａ〜７１６ｄ、および中間転写体７２０などは、ＤＣコントローラ７２６により制御されるモーターなどの駆動源により回転駆動されている。定着装置７２４は、ヒータをその内部に収納した定着ローラと、前記定着ローラに対して加圧する加圧ローラとで構成され、また、前記ヒータはＤＣコントローラ７２６により温度調整される。この定着装置７２４へ、用紙が搬送されることで、用紙はヒータにより加熱され、ローラ対により加圧され、用紙上のトナー像は溶融し、用紙に定着されることになる。
【０００９】
このような画像形成装置において、７１２ａ〜７１２ｄや７２１で示される帯電器としては、コロナ放電を利用する帯電器を用いる場合がある。この帯電器は、電位をかけるワイヤをシールドと呼ばれる金属板がコの字（またはハの字）に囲っており、囲いの無い面を帯電対象に向けることで帯電を行う。グリッドと呼ばれる電極がワイヤと帯電対象の間にあるものはスコロトロン帯電器、グリッド電極が無いものはコロトロン帯電器と呼ばれる。このように構成されているため、この種の帯電器には容量成分が存在し、交流の高電圧を直流の高電圧に重畳することで、電流は流れ易くなり、帯電対象の電荷量を均一にし易くなる。
【００１０】
このような構成、作用の帯電器として、例えば、印加する高電圧の交流成分を固定し、直流成分を変動させ、交流成分の波高値のみを変動させる制御方式が知られている（特許文献１）。このような制御の場合、交流成分が重畳されることにより、出力電流のリークが起き易くなることや、周辺の機器に対して影響が及ぶ等、デメリットも存在する。
【特許文献１】特開平９−１９７７６９号公報
【発明の開示】
【発明が解決しようとする課題】
【００１１】
コロナ放電を利用した帯電器に高電圧直流を印加した場合の、電流―電圧特性の一例を図８に示す。図示のように、一般的には、電流―電圧特性の領域は、空気絶縁を破壊できず電流が流れない空気絶縁領域と、絶縁破壊を起こしコロナ放電により電流が流れるコロナ放電領域と、コロナ放電を起こす電圧領域を超え、火花放電が始まる火花放電領域の３つに大別される。帯電器の使用範囲はもちろんコロナ放電領域であるが、図から分かるように、ある一定の電圧がかかるまでは電流が流れない。直流の電圧でコロナ放電の領域まで持っていき、かつ、ある電流量を流すとなるとかなりの電圧値が必要となり、また、トランスの電力容量も大きいものになり、一次側、二次側共に巻数、線径が大きくなり、トランス自体も大きくなってしまう。
【００１２】
ここで、前記直流電源の出力に対し交流成分を重畳し、交流の波高値を大きくしていくことで直流電源から見えるインピーダンスが小さくなり、電流が流れやすくなることが知られている。
【００１３】
一例として、図９に、コロトロン帯電器を負荷とした場合において、交流波高値Ｖｐｐをパラメータとした直流電流と直流電圧の関係を示す。図から交流波高値Ｖｐｐが大きくなるにつれて少ない直流電圧で多くの電流を流すことが可能となることが分かる。この特性を利用して所定の電流を流すことで帯電対象への電荷量を均一にする場合、交流の波高値が多い方が電流は流れ易くなる。しかし、所定の電流を流す場合に直流を用いた方が周辺の機器に対する影響が少なく、また、交流波高値が低い方が騒音も少なく、コロナ放電を利用した帯電器の場合ではワイヤの振れも小さくなり、ワイヤ切れや火花放電も起こり難くなる。
【００１４】
本発明は、このような状況のもとでなされたもので、交流波高値をかけることで電流を流し易くしつつ、交流の波高値をなるべく大きくしないで済む高電圧電源装置を提供することを課題とするものである。
【課題を解決するための手段】
【００１５】
前記課題を解決するため、本発明では、高電圧電源装置を次の（１）のとおりに構成する。
【００１６】
（１）出力電流を第１の設定値に制御する定電流制御手段、および前記出力電流を流すための直流出力電圧が所定の上限値を超えたか否かを判断する電圧判断手段を有する直流高電圧電源と、
出力電圧の波高値を第２の設定値に制御する定電圧制御手段、および前記電圧判断手段の判断結果により前記第２の設定値を設定する波高値設定手段を有する交流高電圧電源と、
前記直流高電圧電源の出力端と前記交流高電圧電源の出力端を直列接続する出力部と、を備えた高電圧電源装置。
【発明を実施するための最良の形態】
【００１７】
以下、本発明を実施するための最良の形態を詳しく説明する。
【００１８】
（第1の実施の形態）
図１は、高電圧電源装置の構成を示すブロック図、図２は高圧電源装置の概略的な回路図、図３は高圧電源装置の動作を示すフローチャートである。
【００１９】
図1の高電圧電源装置は、直流高電圧電源１１１、交流高電圧電源１１２および出力部１１３から構成される。
【００２０】
直流高電圧電源１１１は、出力電流を定電流制御する定電流制御部１１４、出力電流を検出する電流検出部１１５、直流の電圧成分を検出する直流電圧検出部１１６、出力電圧が上限に達したかを判断する電圧判断部１１７および直流出力部１１８を有する。
【００２１】
また、交流高電圧電源１１２は、直流高電圧電源１１１における電圧判断部１１７の判断結果により設定される波高値になるように交流出力を定電圧制御する定電圧制御部１１９、交流成分の波高値を検出する波高値検出部１２０を有する。さらに、直流高電圧電源１１１における直流出力部１１８に直列接続され、直流出力に交流成分を重畳する交流出力部１２１を有する。
【００２２】
また、出力部１１３は、直流高電圧電源１１１における直流出力部１１８および交流高電圧電源１１２における交流出力部１２１を有する。負荷１３０は、スコロトロン帯電器またはコロトロン帯電器である。
【００２３】
図１の構成を実現する回路例を図２により説明する。
直流高電圧電源１１１では、外部からの電流設定値２１１と直流高電圧電源１１１における電流検出部１１５の検出出力との差分を無くすように、定電流制御部１１４が直流トランスにおける駆動巻線ＮＤ２１のスイッチングにおけるデューティを制御する。そして、直流トランスの二次巻線ＮＤ２２の交流出力を整流平滑して直流出力にしている。また、直流トランスには三次巻線ＮＤ２３が設けられており、三次巻線ＮＤ２３の出力に基づいて直流電圧検出部１１６が直流電圧ＶＤＣを検出する。検出した直流電圧電圧ＶＤＣが所定値に到達していない場合は直流高電圧電源１１１のみが駆動される。
【００２４】
電圧判断部１１７は、直流電圧検出部１１６の検出電圧に基づいて、直流高電圧電源１１１の出力電圧が、その上限に近い値（以下上限値という）に達したか否かを判断する。すなわち、電圧判断部１１７は、直流電圧検出部１１６の検出電圧を、前記上限値に相当する基準値と比較し、比較結果を信号Ｓ２１として、交流高電圧電源１１２の波高値設定部１３１へ送る。
【００２５】
さらに、直流高電圧電源１１１側は、電流検出部１１５によりリーク電流を検知し保護をかける過電流保護部２１２をも内蔵する。
【００２６】
交流高電圧電源１１２は、交流トランスの駆動巻線ＮＡ２１のスイッチングにおけるデューティを制御し、出力電圧が波高値設定部１３１で設定した波高値に相当する電圧になるようフィードバック制御している。通常は、直流高電圧電源１１１のみの出力で所要の出力電流が得られるように構成されているので、波高値設定部１３１で設定される波高値は負になっており、交流高電圧電源１１２の出力電圧は零となっている。すなわち、波高値が負に設定されると、交流トランスの駆動巻線ＮＡ２１のスイッチングが停止するか、デューティが零になるように構成されている。
【００２７】
しかし、直流高電圧電源１１１の出力電圧が上限値を超えると、波高値設定部１３１は、電圧判断部１１７から正の信号Ｓ２１を受信し、波高値は正となるので、交流トランスの駆動巻線ＮＡ２１のスイッチングが開始される。スイッチングにおけるデューティは、波高値設定部１３１で設定された波高値の電圧を出力するように制御される。これにより、交流高電圧電源１１２は、波高値設定部１３１で設定された波高値の交流電圧を出力する。
【００２８】
交流トランスの二次巻線ＮＡ２２は、一端が直流トランスの出力ＶＤＣを受け、自身で発生する交流成分を重畳し、ＶＯＵＴとして出力する交流出力部１２１を構成する。これにより、直流出力に交流出力を重畳し、出力を行う出力部１１３が構成される。交流トランスにもまた三次巻線ＮＡ２３が存在する。波高値検出部１２０は三次巻線ＮＡ２３により交流成分の波高値を検出して定電圧制御を行う定電圧制御部１１９にフィードバックする。
【００２９】
すなわち、定電圧制御部１１９は、波高値設定部１３１で設定された波高値と、波高値検出部１２０で検出された波高値とを比較し、比較結果が同じになるように交流トランスの駆動巻線ＮＡ２１のスイッチングにおけるデューティを制御する。これにより、波高値設定部１３１で設定された波高値の交流電圧が出力される。
【００３０】
本実施の形態における高電圧電源装置の動作フローを図３に示す。なお、図ではステップをＳと略記する。まず、電流検出部１１５で出力電流を検出する（Ｓ３２）。この検出値と、外部からの電流設定値２１１の差を元に、定電流制御部１１４が出力電圧を可変させることで出力電流を一定になるよう制御する（Ｓ３３）。直流の電圧成分を検出する直流電圧検出部１１６は検出した電圧を電圧判断部１１７に送る（Ｓ３４）。電圧判断部１１７は、直流電圧検出部１１の検出電圧を直流高電圧電源１１１の出力電圧の上限値に相当する基準値と比較し、比較結果の信号Ｓ２１を交流高電圧電源１１２の波高値設定部１３１へ送る。波高値設定部１３１は、信号Ｓ２１を積分して所要の波高値を設定する（Ｓ３５）。
【００３１】
交流高電圧電源１１２の定電圧制御部１１４は、波高値設定部１３１で設定された波高値の交流出力が出力されるように制御する（Ｓ３６）。
【００３２】
出力部１１３で直流出力に交流出力が重畳され帯電器１３０に供給される（Ｓ３７）。ステップ３２に戻り、以下出力電流が電流設定値２１１になるように、ステップ３２からステップ３７へと同様の動作が繰り返される。
【００３３】
このように動作することで、周辺の機器に対する影響を少なくし、かつ所定の電流を帯電対象へ流すことが可能となる。
【００３４】
このように、本実施の形態によれば、直流高電圧電源の能力でカバーできる負荷の場合は直流のみで、直流高電圧電源の能力のみではカバーできない負荷の場合は直流出力に交流出力が重畳され、しかもなるべく交流波高値を大きくしない高電圧電源装置が実現できる。
【００３５】
（第２の実施の形態）
第２の実施の形態における高電圧電源装置について説明する。
【００３６】
図４は、第２の実施の形態における高圧電源装置の構成を示すブロック図、図５は高圧電源装置の概略的な回路図、図６は高圧電源装置の動作を示すフローチャートである。
【００３７】
図４の高電圧電源装置は、直流高電圧電源１１１−１、交流高電圧電源１１２−１および出力部１１３−１から構成される。
【００３８】
直流高電圧電源１１１−１は、定電流制御を行う定電流制御部１１４、出力の電流を検出する第一の電流検出部１１５、直流の電圧成分を検出する直流電圧検出部１１６、出力電圧が上限に達したかを判断する電圧判断部１１７を有する。また、直流出力を行う直流出力部１１８、負荷の帯電器１３０からの戻り電流を検出する第二の電流検出部４１１および出力電流と戻り電流との差分をとる差分検出部４１２を有する。
さらに、直流高電圧電源１１１側は、電流検出部１１５によりリーク電流を検知し保護をかける過電流保護部２１２をも内蔵する。
【００３９】
交流高電圧電源１１２−１は、直流高電圧電源１１１−１における電圧判断部１１７の判断結果により修正される波高値を設定する波高値設定部を有する。また、波高値設定部１３１で設定された波高値に相当する波高値の交流電圧が出力されるようにフィードバックにより定電圧制御する定電圧制御部１１９、交流成分のみを取り出しその波高値を検出する波高値検出部１２０を有する。さらに、直流高電圧電源１１１−１における直流出力部１１８に直列接続され、直流出力に交流成分を重畳する交流出力部１２１を有する。
【００４０】
出力部１１３−１は、交流高電圧電源１１２−１における交流出力部１２１と、直流高電圧電源１１１−１における直流出力部１１８を有する。
負荷１３０は、コロトロン帯電器である。
【００４１】
図４の構成を実現する回路例を図５により説明する。負荷の帯電器１３０が帯電させる帯電対象（感光体など）への電流をＩＰ、直流高電圧電源が流す電流をＩＯ、帯電器１３０のシールドから戻ってくる戻り電流をＩＳとすると、ＩＯ＝ＩＰ＋ＩＳの関係が成り立つ。
実際に制御したい電流は帯電対象への電流ＩＰであるから、直流高電圧電源１１１−１は、その出力電流を検出する第一の電流検出部１１５の出力と帯電器１３０からの戻り電流を検出する第二の電流検出部４１１との差分でフィードバック制御すればよい。すなわち、差分を検出する差分検出部４１２の検出結果と外部からの設定値２１１との差分を無くすように、定電流制御部１１４が直流トランス駆動巻線ＮＤ２１のスイッチングにおけるデューティを制御する。そして、その直流トランスの二次巻線ＮＤ２２の交流出力を整流平滑して直流出力にしている。
【００４２】
また、直流トランスには三次巻線ＮＤ２３が設けられ、三次巻線ＮＤ２３の出力に基づいて電圧検出部１１６が直流電圧ＶＤＣを検出する。検出された直流電圧ＶＤＣが所定値に到達していない場合は直流高電圧電源１１１−１のみが駆動される。
【００４３】
電圧判断部１１７は、直流電圧検出部１１６の検出電圧により、直流高電圧電源１１１−１の出力電圧が、その上限に近い値（以下上限値という）に達したか否かを判断する。すなわち、電圧判断部１１７は、直流電圧検出部１１６の検出電圧を前記上限値に相当する基準値と比較し、比較結果を信号Ｓ２１として、交流高電圧電源１１２−１の波高値設定部１３１へ送る。
【００４４】
交流高電圧電源１１２−１は、交流トランスの駆動巻線ＮＡ２１のスイッチングにおけるデューティを制御し、出力電圧が波高値設定部１３１で設定した波高値に相当する電圧になるようフィードバック制御している。通常は、直流高電圧電源１１１−１のみの出力で所要の出力電流が得られるように構成されているので、波高値設定部１３１で設定される波高値は負になっており、交流高電圧電源１１２の出力電圧は零となっている。すなわち、波高値が負に設定されると、交流トランスの駆動巻線ＮＡ２１のスイッチングが停止するか、スイッチングのデューティが零になるように構成されている。
【００４５】
しかし、直流高電圧電源１１１−１の出力電圧が上限値を超えると、波高値設定部１３１は、電圧判断部１１７から正の信号Ｓ２１を受信し、波高値は正となるので、交流トランスの駆動巻線ＮＡ２１のスイッチングが開始される。スイッチングにおけるデューティは、波高値設定部１３１で設定された波高値の電圧を出力するように制御される。
【００４６】
これにより、交流高電圧電源１１２−１は、波高値設定部１３１で設定された波高値の交流電圧を出力する。
【００４７】
交流トランスの二次巻線ＮＡ２２は、一端が直流トランスの出力ＶＤＣを受け、自身で発生する交流成分を重畳し、ＶＯＵＴとして出力する交流出力部１２１を構成する。これにより、直流出力に交流出力を重畳し、出力を行う出力部１１３が構成される。
【００４８】
交流トランスにもまた三次巻線ＮＡ２３が存在する。波高値検出部１２０は三次巻線ＮＡ２３により交流成分の波高値を検出して定電圧制御を行う定電圧制御部１１９にフィードバックする。
すなわち、定電圧制御部１１９は、波高値設定部１３１で設定された波高値と波高値検出部１２０で検出された波高値とを比較し、比較結果が同じになるように交流トランスの駆動巻線ＮＡ２１のスイッチングのデューティを制御する。これにより、波高値設定部１３１で設定された波高値に相当する波高値の交流電圧を出力する。
【００４９】
高電圧電源装置の動作フローを図６に示す。出力電流値Ｉｏは帯電対象への電流値Ｉｐと負荷の帯電器１３０自身から戻る電流値ＩＳの加算値となり、制御の必要な帯電対象への電流値Ｉｐは出力電流値Ｉｏと戻り電流値ＩＳの差分となる。そのため、直流高電圧電源１１１−１に、出力電流を検出する第一の電流検出部１１５以外に負荷からの戻り電流を検出する第二の電流検出部４１１を設けている。
【００５０】
まず、第一の電流検出部１１５で出力電流を検出し（Ｓ６２）、第二の電流検出部４１１で負荷からの戻り電流を検出し（Ｓ６３）、差分検出部４１２で差分を検出する（Ｓ６４）。
定電流制御部１１４により、前記差分が電流設定値２１１と等しくなるよう制御する（Ｓ６５）。
すなわち、差分検出の出力を、外部からの電流設定値２１１と比較し、比較結果により定電流制御部１１４が出力電圧を可変させることで帯電対象への電流Ｉｐが電流設定値２１１に相当する定電流になるように制御する。
【００５１】
直流の電圧成分を検出する直流電圧検出部１１６は検出した電圧を電圧判断部１１７に送る（Ｓ６６）。電圧判断部１１７は、直流電圧検出部１１の検出電圧を直流高電圧電源１１１−１の出力電圧の上限値に相当する基準値と比較し、比較結果の信号Ｓ２１を波高値設定部１３１へ送る。波高値設定部１３１は、信号Ｓ２１を積分して所要の波高値を設定する（Ｓ６７）。交流高電圧電源１１２−１の定電圧制御部１１４は、波高値設定部１３１で形成された波高値の交流出力を出力するように制御する（Ｓ６８）。出力部１１３−１で直流出力に交流出力が重畳され帯電器１３０に供給される。ステップ６２に戻り、以下出力電流が電流設定値２１１になるように、ステップ６２からステップ６９へと前述と同様の動作が繰り返される。
このように動作をさせることで、周辺の機器に対する影響を少なくし、かつ所定の電流を帯電対象へ流すことが可能となる。
【００５２】
このように、本実施の形態によれば、直流高電圧電源の能力でカバーできる負荷の場合は直流のみで、直流高電圧電源の能力のみではカバーできない負荷の場合は直流出力に交流出力が重畳され、しかもなるべく交流波高値を大きくしない高電圧電源装置が実現できる。
【００５３】
また、出力電流と帯電器１３０からの戻り電流の差分でフィードバック制御しているので、帯電対象への電流を正確に所定値に制御することができる。
【００５４】
（変形例）
前述の各実施の形態では、電圧判断部は、直流電圧検出部１１６の検出電圧を、前記上限値に相当する基準値と比較し、比較結果を信号Ｓ２１として、交流高電圧電源１１２の波高値設定部１３１へ送っている。この場合、波高値設定部１３１に信号Ｓ２１を積分する積分回路を設けることを想定している。しかし、これに限らず、前記基準値を超えた場合にのみ、超えたことを示す信号を波高値設定部へ送る形で実施することもできる。この場合も、波高値設定部に積分回路を設けて波高値を形成する。あるいは、波高値設定部にアップダウンカウンタを設け、信号が送られてきたとき１アップ、信号が送られてこないときは１ダウンし、カウントしたカウンタ値にもとづいて波高値を形成するようにしてもよい。
【図面の簡単な説明】
【００５５】
【図１】第１の実施の形態における高電圧電源装置の構成を示すブロック図
【図２】高電圧電源装置の回路図
【図３】高電圧電源装置の動作を示すフローチャート
【図４】第２の実施の形態における高電圧電源装置の構成を示すブロック図
【図５】高電圧電源装置の回路図
【図６】高電圧電源装置の動作を示すブロック図
【図７】画像形成装置の概略構成を示す断面図
【図８】コロナ放電を利用した帯電器の電流−電圧特性を示す図
【図９】交流電圧Ｖｐｐ印加状態による直流電流と直流電圧の関係の変化例を示す図
【符号の説明】
【００５６】
１１１      直流高電圧電源
１１２      交流高電圧電源
１１３      出力部
１１４      定電流制御部
１１５      電流検出部
１１６      直流電圧検出部
１１７      電圧判断部
１１８      直流出力部
１１９      定電圧制御部
１２０      波高値検出部
１２１      交流出力部
【図１】
2008151842.tif 000003
【図２】
2008151842.tif 000004
【図３】
2008151842.tif 000005
【図４】
2008151842.tif 000006
【図５】
2008151842.tif 000007
【図６】
2008151842.tif 000008
【図７】
2008151842.tif 000009
【図８】
2008151842.tif 000010
【図９】
2008151842.tif 000011